(57)【要約】【課題】ひもやベルトの一端をひもやベルトに固定するには、縛って固定するか、あるいはバックルやリングベルトのような装置を必要とする。本発明は、ひも自身に複数の穴の開いた構造をつけることにより、容易に固定ができ、また固定の解除も容易であるようなひもを提供する。【解決手段】ひもの素材として変形可能性と剛性をかねそなえたものに、複数の穴の構造をとりつけ、穴の変形およびひもの変形によりそのひも自身が穴を通すことができるようにする。ひもの一端を複数の穴に通すことにより、引っ張り時には張力により穴およびひもが変形して締めあうためにひもは固定されて、バックルと同様に固定することができ、また、固定を解きたいときには通した穴から一つずつ外すことで容易にはずすことができる。【選択図】図４
2014132125.tif 000002
【特許請求の範囲】
【請求項１】
ひもであって、穴を複数有しており、変形可能な素材でできているために、そのひも自身をその複数の穴に通すことができることによって、そのひもをそれらの穴に固定することができるひも。
【請求項２】
請求項1に記載のひもであって、その素材が変形可能でかつ剛性を有することに
より、一つ一つの穴にそのひもを通すことは容易であるが、複数の穴にそのひもを通すことによって、そのひもを引っ張る力に対しては穴の変形とひもの剛性によりひもが穴に固定されるいう性質を有するひも。
【請求項３】
請求項２に記載のひもであって、複数の穴がひも全体に沿って多数空いており、そのうちの一部の複数の穴にそのひもを通すことによって、ひもの一端をひもの穴の開いている任意の位置に固定することができるひも。
【請求項４】
請求項２に記載のひもであって、変形可能性と剛性を持った素材からなるひもを二本用意し、一定の間隔で接合させて接合部を固着することによって一本のひもとして作成されたひも。
【請求項５】
請求項４に記載のひもであって、接合部を固着することにより、もとのひもよりも衝撃吸収性または伸縮性または剛性または強度またはすべりにくさを増したひも。
【請求項６】
請求項２に記載のひもであって、請求項４においては二本であったものを、３本以上のひもを接合させて接合部の一部を固着することにより一本のひもとして作成されたひも。
【請求項７】
請求項４、５、６のいずれかに記載のひもであって、元のひもが溶着可能な素材でできており、固着の方法として溶着を用いたもの。
【請求項８】
請求項４、５、６、７のいずれかに記載のひもであって、元のひもがナイロンザイルであり、接合部の固着は溶着であるもの
【請求項９】
請求項４、５、６、７、８のいずれかに記載のひもであって、複数の穴にひもを通して固定したとき、穴にひもの張力方向の力がかかっても固着をはがす方向に力がかからないために、張力方向へ高い強度を有するもの。
【請求項１０】
請求項９に記載のひもであって、接合部を交差させて固着することにより、穴にひもの張力方向の力がかかっても固着をはがす方向に力がかからないために張力方向へ高い強度を有するもの。
【発明の詳細な説明】
【技術分野】
【０００１】
本発明は、犬のリード・積み荷を縛るひも・登山や防災に利用されるナイロンザイルなど多様な目的に応用できる、機能的なひもの開発に関する。
【背景技術】
【０００２】
一般に、ひもは多数の用途に使われている。
A.二つの物体をつなぐため（たとえば、飼い主と犬は首輪とリードでつながれてる）、
B.物体を一定の形状に固定するため（たとえば、トラックの荷台につんだ荷物をひもでしばる）、
C.物体を吊り下げる（例えば、登山中に登山者が落下したときに空中で停止するようザイルでしばる）、
D.固定したひもにほかのものを吊り下げる（たとえば、洗濯ひも）
これらにおいて、ひもの一端などひもの一部を、他の物体やひも自身に固定し、固定の必要がなくなった場合には取り外すという必要がある。
【０００３】
従来は、ひもを縛ることによって固定し、ほどくことによって固定を解除するか、あるいはひもの一端などひもの一部を加工して金属など硬い物質でできたバックルやナスカンをとりつける、あるいはリングベルトをつけるといった方法で固定および固定の解除を行っている。
【０００４】
ひもを結んで固定する場合には、結ぶ技術が必要となる。特に、太いナイロンザイルやロープではしっかりと結ぶには熟練した技術が必要である。また、一度固く結んで固定したひもをほどくのは困難である。古くから、固定と固定解除を容易にするような結び方（蝶結びなど）が考案されて使われているが、強固に固定することと、容易に固定解除ができることとは、両立していない。
【０００５】
それを解決する手段として、古来より、「バックル」や「ナスカン」といった器具をひもにとりつけることがなされてきた。バックルでは、ひも（この場合は平たいベルト上のひも）に穴をあけ、一端に金属性のバックルを接着することで、穴に金属部を通し、引っ張り力に対して穴と金属部が締めつけあうために強固に固定される。固定を解除する場合には、穴から金属部を抜けばよい。ナスカンに関しても、ひもの一端に金属製のナスカンを接着し、開口部のある金属のリングを利用してこれを固定するしくみである。
【０００６】
しかしながら、バックルやナスカンには次の問題点がある。
まず、強度の問題がある。特に、ナイロンザイルのように非常に強度の強いひもに対して、バックルやナスカンのような別素材を元の強度を失わずに接着することは困難である。
また、金属部品を用いることで腐食の危険性がある。
さらに、そのような部品自体の費用に加え、加工を行う費用が発生する。
【０００７】
また、バックルにおいては、ひも（この場合はベルト状のひも）に穴をあけてそこに金属部分を通すことにより固定されるため、そのための強度の低下、費用が生じる。
さらに、固定される部分は穴の加工がなされている部分のみであり、ひもを縛る場合のように任意の位置に固定することはできない。
ナスカンの場合には、ナスカンが取り付けられている部分に、輪状の物体を固定することしかできない。
【先行技術文献】
【特許文献】
【０００８】
【特許文献１】特開2011-142956号公報
【特許文献２】特開2010-270413号公報
【発明の概要】
【発明が解決しようとする課題】
【０００９】
解決しようとする課題は、ひもを固定したり外したりする際に、しばる・ほどくことでは
技術が必要でかつ強度が弱く、ひもに別素材の部品を接着する場合にはその部品の部分にしか固定できず、かつコストがかかり強度が低下することである。
【課題を解決するための手段】
【００１０】
本発明は、これらの課題を解決する新たな構造のひもに関するものである。
以後、この新たな構造のひもを「穴あきロープ」と呼ぶ。
図１は穴あきロープの一つの例を示している。
穴あきロープは、安定的に形成された穴を複数の位置に持つ。
これらの穴は、力を加えれば変形するが力を加えなければ元の形状をある程度復元する剛性を持つ。
【００１１】
典型的には、穴あきロープ全体に、一定の間隔で穴が形成されている。
穴あきロープは変形可能な素材（典型的にはナイロンザイル）で構成されているため、穴も、穴あきロープも変形可能であり、穴あきロープをその穴に通すことができる。こうして、穴あきロープの一端を、穴あきロープの任意の穴に固定したい場合、固定したい穴と隣接する複数の穴に一端を通すことにより固定することができる。図４は、固定した状態の一例を示している。
【００１２】
このようにして固定された一端は、強固に固定される。なぜなら、穴あきロープの張力に対して、穴は張力方向に伸び、張力に垂直な方向には縮むため、その穴を通っている穴あきロープを締め付ける方向に力がはたらくからである。
交互に４個以上の穴に穴あきロープを通した場合、引っ張る力でそれがほどけてしまうことは実験上観察されない。
【００１３】
このようにして固定された一端は、穴を通した順番と逆に、一つずつ通っている穴をはずしていけば、容易に固定を解除することができる。
【発明の効果】
【００１４】
本発明の穴あきロープは、穴を複数有しており、変形可能な素材でできているために、そのひも自身をその複数の穴に通すことができることによって、そのひもの一端を、それらの穴に固定することができる。図４、図６、図７は固定する方法の一例をそれぞれ挙げている。
また、そのひもの途中部分をそれらの穴に固定することもできる。別のひもをそれらの穴に固定することもできる。
これにより、以下のような新奇な効果が得られる。
【００１５】
A. 強度の向上：本発明の穴あきロープは、強度が高い。すなわち、バックルやナスカンと異なり、取り付けではなく一体の素材により構成されているために高い強度を有する。
従来技術のようにナイロンザイルとバックルやナスカンなど異なる素材を混在させた場合、部品の強度および接着部分の強度が低いために、全体の強度が劣化するが、
本発明はこれを避けることができる。
【００１６】
接着または溶着または縫い合わせるといった固着によって本発明の穴あきロープを実施した場合、固着部分の強度が直接穴あきロープ全体の強度を低下させないことが本発明の特徴であり、請求項９に記載のように、穴に穴あきロープの一部または他の物体を通して力を加えても、穴あきロープの張力方向に力がかかる限り、固着部分をはがす方向にはかかる力は小さいため、強度を低下させない。
【００１７】
さらに、請求項１０に記載のように、２本のひもを交差させて固着した場合には、穴あきロープの張力方向への力が穴に加えられてても、固着部分をはがす方向ではなく固着部分をねじる方向にしか働かず、ねじる角度は限られているために強度を低下させない。
【００１８】
B. 衝撃吸収：さらに、請求項５に記載のように、穴あきロープは材料となったひもよりも伸縮性を増しているために、衝撃を吸収する力を増している。
【００１９】
C. 加工の容易さ、安価性：穴あきロープを作成するには、同一の素材からなるひもを接着・溶着・縫い合わせるなどの方法で固着する、あるいは一体の素材に穴をあける、あるいはプラスティックなど成型可能な素材により成型する、といった単純な工程により制作できるため、部品を必要とするバックル・ナスカンより安価に制作できる。
【００２０】
D. 固定部分の任意性：いたるところに穴を有する穴あきロープの場合には、穴あきロープの一部をその任意の位置に固定することができ、また外すことができる。
これは、従来技術のバックルやナスカンにはない本発明の特徴である。
【００２１】
E. 固定した環形構造：上記Dにより、穴あきロープの任意の位置に、任意の長さの環形の構造を作り固定することができる。図４、図６、図７は環形の構造を作り固定する方法の一例をそれぞれ挙げている。
これにより、たとえば犬の首輪に用いるときに、犬のの首を入れる環形の構造を、犬の首の太さに応じて形成し止めることができる。張力に対する強度から、力の強い犬であっても引っ張ることによっては外すことができない。
【００２２】
また、上記環形構造は固定しているため、ずれて犬の首が締まるおそれもない。
【００２３】
F.複数の環形構造の作成：いたるところに穴があいている穴あきロープの場合、複数の環形の構造を作り固定することができる。一本の穴あきロープを用いて、犬のくつわと首輪を同時に形成し使用することができる。さらに加えて、胴体や脚部分に対しても同様に環形構造を作り胴輪としての使用が可能である。
さらに、他方の端に環形の構造を作り、人間の持ち手とすることもできる。
【００２４】
G. ナスカンの機能代替：穴あきロープの一部を他の輪状の部品に通してから、穴あきロープの一部に固定することにより、他の輪状の物体を穴あきロープの穴のあいているいたるところに固定し、また外すことができる。これにより、ナスカンと同等の機能をいたるところで作成することができる。図６はその方法の一例を示している。
【００２５】
H. 固定の解除の容易性：上記の方法による固定部分を外す場合には、通した穴を一つずつ外す方向に逆の順番に通すことで容易に外すことができる。
【００２６】
I. 犬の首輪：穴あきロープは伸縮性があるため、衝撃吸収力がある。
たとえば力の強い大型犬の首輪として使用した場合に、犬が急に走り出したとしても衝撃吸収力のために犬の首・人間の持ち手の双方に負担がかからない。
【００２７】
J. すべりにくさとつかみやすさ：図１または図５に記載のように作成すると、すべりにくい。
これにより、山岳登山や津波時における救命用具として穴あきロープを使用した場合、つかまった時に滑りにくく、また、穴に指をいれることによりより強固につかまることができる。
【００２８】
通常のひもを手や指に縛って引っ張った場合には手や指が締め付けられてけがをするが、穴あきロープの穴に手や指を入れて引っ張っても、変形により指が締め付けられる力は弱く、けがをしにくい。
【００２９】
K. しばる・ほどく操作の代替：本発明の穴あきロープは、通常のひもにおける「しばる」という操作に対応した固定が可能である（実施例１および実施例３および実施例４）。通常のひものしばりと異なる点は、
通常のひものしばった部分は引っ張りによりずれて、締め付けがきつくなったりほどけたりするが、本発明では穴を複数回通すだけで容易に強固に固定され、固定位置はずれない。
したがって、犬の首輪や、人間の持ち手部分に用いる環形構造の製作に適している。
また、ひもをしばった場合には、結びが固くなった場合ほどくのは容易ではないが、本発明の穴あきロープにおいては、結びが固くなることはなく容易にほどくことができる。
【００３０】
通常のひもにおける、「締めつけて縛る」という固定操作も実施例３の方法で可能である。この場合も、本発明では容易にほどくことができる。
上記のように、通常のひもにおける「しばる」「ほどく」「しめつける」「環状部分を作る」
という操作のいずれをも、本発明の穴あきロープは容易にかつ強固に実現することが
できるため、広い用途を有する。
【００３１】
穴あきロープの穴の位置は、一定間隔にロープ全体に設置する必要はなく、穴あきロープを固定したい部分にのみ設置してもよい。００１１段において「典型的には穴あきロープ全体に一定間隔で穴が形成されている」
と記述したのは、説明を単純にするためである。また、二本のひもを固着する代わりに、図５に示されているように一本のひもを折って固着することによっても穴あきロープを作成できる。三本以上のひもを固着することによっても作成できる。
【図面の簡単な説明】
【００３２】
【図１】図１は穴あきロープの構造を示した説明図である。（実施例１）
【図２】図２は穴あきロープの穴の一つにそれ自身の一端を通した説明図である。（実施例１）
【図３】図３は穴あきロープの穴の４か所に一端を通した説明図である。（実施例１）
【図４】図４は穴あきロープの穴の４か所に一端を通して引っ張って締め、バックルの代替とした説明図である。（実施例１）
【図５】図５は一本のナイロンザイルから溶着によって作成された穴あきロープの説明図である。（実施例２）
【図６】図６は穴あきロープの一端を棒に固定する方法の説明図である。（実施例３）
【図７】図７は穴あきロープを環形状態に固定する方法の図である。（実施例４）
【図８】図８はベルト状のひもから固着により構成された穴あきロープの、一端を穴に通した図である。（実施例５）
【図９】図９はベルトに穴をあけることによって作成された穴あきロープの構造を示した図である。（実施例６）
【図１０】図１０はベルトの一端を細くし、残りに穴をあけることによって作成された穴あきロープの図である。（実施例７）
【発明を実施するための形態】
【００３３】
穴あきロープの使用例を挙げる。
図１は穴あきロープの一つの例である。作成の方法は、
1. 変形可能なプラスチックで型を作る、
2.プラスチック・ビニール・ゴム・皮・布などを型抜きする、
3.実施例５で挙げたように二枚のベルト状のひもを一定の間隔を空けて固着させる、（縫い合わせる、接着する、溶着するなどの方法で）、
4.実施例２で挙げるナイロンザイルの溶着による、
といった方法があげられる。
【実施例１】
【００３４】
図２は、図１で挙げた穴あきロープの一端を、一つの穴に通した状態図である。
図３は、穴あきロープの一端を、連続する４つの穴に交互に通した状態図である。
図４は、図３の状態の穴あきロープの環形部分をひっぱることにより、バックルのように
一端が穴あきロープの一部に固定された状態図である。環形部分を引っ張る力に対して、４か所の穴を通された穴あきロープは互いに締め付けあうので強固に固定される。
また、通常のひもを縛った場合とは異なり、固定を解除したい場合には穴を一つずつ抜いていくことにより容易に解除できる。
このようにして、穴あきロープに安定な環形構造を作ることができる。
【実施例２】
【００３５】
図５は、二本のナイロンザイルから溶着によって作成された穴あきロープである。
ナイロンザイルが交差している部分を溶着することにより、安価で容易に穴あきロープを作成することができる。
溶着された部分の間は、二本のナイロンザイルが囲む穴となる。
この構成法により、請求項1にある穴あきロープを構成できる。
【００３６】
ナイロンザイルの変形可能性と剛性により、図２のように穴に穴あきロープを通すことができるし、抜くこともできる。そして、図３のように穴あきロープの一端をとなりあう穴に交互に通すことにより、引っ張り力だけでは穴あきロープをはずすことができず、通常のロープを縛った場合や、バックルを使った場合と同様に、穴あきロープの穴に
穴あきロープの一端を強固に固定することができる。
【００３７】
この構成では、金属などほかの素材を接着する必要性がなく、また、引っ張り力に対しては溶着面をはがす方向に力が働かないために、従来の金属製のバックルなどを
使った場合よりも高い強度で固定することができる。  
【実施例３】
【００３８】
図６は、穴あきロープの一端を棒に固定する方法を示している。棒７に、穴あきロープの一端を固定するため、穴あきロープを棒に一まきしてから、穴あきロープの先端１を穴あきロープの穴２、穴３、穴４、穴５、の順に交互に通していき、続いて穴４と重なっている穴６と穴４に先端１を通す。この状態で穴あきロープを引っ張ることにより、実施例１のバックルと同じ原理で穴あきロープが締め付けられる。さらに先端1を穴６、穴４に通した状態で引っ張ることにより、実施例１よりもさらに強固に固定される。解除は、上記の手順を逆にたどることにより容易に行える。
【００３９】
このようにして、穴あきロープに安定な環形構造を作ることができる。また、解除することもできる。
また、棒７を締め付けたい場合には、先端部１を穴４、穴６から抜いて、穴２を通っている穴あきロープ部分をずらして棒７を締め付け、穴３、穴４、穴５の順番に余分な長さのロープをずらしていけばよい。
【実施例４】
【００４０】
図７は、穴あきロープの一端を、環形構造を作りたい部分のとなりあう二か所の穴を通し、のちに端に近い側の穴二か所の穴を通すことにより、強固な環形構造をつくる方法を示している。このように固定した場合は、実施例３と異なり、ずらして締めつけることはできない。
しかし、穴の構造が破壊されない限り環形部分の長さが変わることはないため、犬の首輪や人間の胴にかける安全ベルトなど、環形部分の長さを一定に保つことが必要である場合に適している。
【実施例５】
【００４１】
図８は、ベルト状のひも二本を一定の間隔で固着させることにより構成された穴あきロープの、一端を穴に通した状態を示している。ベルト状であるために固着の方法として縫い合わせることがチューブ状のひもよりも容易である。
【００４２】
さらに、大きな石をクレーンで吊り上げるときのひもとして用いた場合にベルトが石の角に引っかかるため石に対してすべりにくいという利点を持つ。
【実施例６】
【００４３】
図９は、皮革ベルトなど部分の切除が可能なベルト状のひもに、複数の穴を空け、さらにふちから半円状の部分を切除して構成された穴あきロープの構造を示している。
【００４４】
このように切除することによりくびれを作ることによって、穴を通したときに穴部分とくびれ部分が合致するために外れにくく、皮革やゴムなど変形性が高い素材を用いても固定が容易となる。
【実施例７】
【００４５】
図１０は、ベルト状のひもの、一端を細く加工し、残りに穴をあけることによって構成された穴あきロープの構造を表している。細くした部分のみを穴に通した場合には、ベルトの形状が変形しないために、ベルトが平たいまま固定が可能であるという利点を有する。
【００４６】
バックを下げるひもとして用いたとき、両端にこの構造をつくり固定すれば、両端でも平たいままで邪魔にならない。
【産業上の利用可能性】
【００４７】
犬の引き紐や犬の首輪・胴輪に使用した場合、上記のように安定した環形構造を
作成できるため、一本の穴あきロープで、一端を犬の首にまいて首の太さに合わせてバックルのようにとめることも、他方の端を持ち手部として環形にとめることもできる。また、胴体部分を止めることも、くつわを兼ねることもできる。
【００４８】
バックルやナスカンのような部品がないために安価、かつ壊れにくく、けがも少ない。
強度が高いため、穴あきロープの切断の危険が少ない。衝撃吸収力があるため、犬が走り出したときにも切れにくく、かつ犬も人間もけがをしにくい。すべりにくさがあるためにつかみやすく、また通常のひもを手で持ったときにおきる摩擦によるやけどや、滑ることによって手を切るといったことが少なく、安全性が高い。
【００４９】
登山用のザイルや安全ベルト、遭難救助用のロープとして用いる際にも、一端を容易に他の物体にまいて固定できること、つかみやすいこと、衝撃吸収力があること、すべりにくく手を切る危険性が低いこと、強度が高いこと、環形構造が縮まって起きる人体の締め付けの危険性が低いこと、金属部品を排除できるために腐食の心配がなく耐久性が高く海沿いなどに長年保存しても劣化しにくいこと、安価であること、軽くて持ち運びやすいこと、といった効果がある。
【００５０】
車の牽引に用いるロープやベルトとして用いる際にも、任意の長さで固定できること、強度の高さ、衝撃吸収性、金属部品の排除による耐久性、安価性といった効果がある。クレーン作業で使用するナイロン製のベルトや鋼鉄製のワイヤーをこの構造によって作成すると、同様の効果がある。
【００５１】
一つ一つのひものカラーを変えたり交差の順序を変えるなどにより、デザイン性の高いひもとして用いることができる。固定と解除の容易さと合わせて、携帯電話用ストラップやズボンのベルト、バックのベルト、ワイヤーを用いて作られたアクセサリーのワイヤーを代替するものとして使用できる。
【図１】
2014132125.tif 000003
【図２】
2014132125.tif 000004
【図３】
2014132125.tif 000005
【図４】
2014132125.tif 000006
【図５】
2014132125.tif 000007
【図６】
2014132125.tif 000008
【図７】
2014132125.tif 000009
【図８】
2014132125.tif 000010
【図９】
2014132125.tif 000011
【図１０】
2014132125.tif 000012
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
変形可能性と剛性を持った素材からなる二本のひもからなり、前記二本のひもを一定の間隔で接合させるとともに、その接合部を固着することで一本のひもとして作成されたひもであって、前記接合部間に形成された穴にひもの一端を通すものであり、複数の穴にひもを通すことで、ひもをひっぱる力に対してひもを固定することを特徴とするひも。
【請求項２】
請求項１に記載のひもであって、前記二本のひもの接合部は、前記二本のひもを一定の間隔で交差させて形成されていることを特徴とするひも。
【請求項３】
請求項１に記載のひもであって、前記二本のひもは溶着可能な素材からなり、前記二本のひもの接合部は、溶着により固着されていることを特徴とするひも。
【請求項４】
請求項３に記載のひもであって、前記二本のひもはナイロンザイルからなることを特徴とするひも。
【請求項５】
請求項２に記載のひもであって、交差接合部分を固着することによって、もとのひもよりも衝撃吸収性または伸縮性または滑りにくさを増したひも。
【請求項６】
請求項２に記載のひもであって、交差接合部分を固着することによって、複数の穴にひもを通して固定したとき、ひもに張力方向の力がかかっても、固着部分をはがす方向に力がかからないために、張力方向へ高い強度を有するひも。
【請求項７】
変形可能性と剛性を持った素材からなる三本以上のひもからなり、前記三本以上のひもを一定の間隔で接合させるともに、その接合部を固着することで一本のひもとして作成されたひもであって、前記接合部間に形成された穴にひもの一端を通すものであり、複数の穴にひもを通すことで、ひもをひっぱる力に対してひもを固定することを特徴とするひも。
【手続補正２】
【補正対象書類名】明細書
【補正対象項目名】全文
【補正方法】変更
【補正の内容】
【発明の詳細な説明】
【技術分野】
【０００１】
本発明は、犬のリード・積み荷を縛るひも・登山や防災に利用されるナイロンザイルなど多様な目的に応用できる、機能的なひもの開発に関する。
【背景技術】
【０００２】
一般に、ひもは多数の用途に使われている。
A.二つの物体をつなぐため（たとえば、飼い主と犬は首輪とリードでつながれている）、
B.物体を一定の形状に固定するため（たとえば、トラックの荷台につんだ荷物をひもでしばる）、
C.物体を吊り下げる（例えば、登山中に登山者が落下したときに空中で停止するようザイルでしばる）、
D.固定したひもにほかのものを吊り下げる（たとえば、洗濯ひも）
これらにおいて、ひもの一端などひもの一部を、他の物体やひも自身に固定し、固定の必要がなくなった場合には取り外すという必要がある。
【０００３】
従来は、ひもを縛ることによって固定し、ほどくことによって固定を解除するか、
あるいはひもの一端などひもの一部を加工して金属など硬い物質でできたバックルやナスカンをとりつける、あるいはリングベルトをつけるといった方法で固定および固定の解除を行っている。
【０００４】
ひもを結んで固定する場合には、結ぶ技術が必要となる。特に、太いナイロンザイルやロープではしっかりと結ぶには熟練した技術が必要である。また、一度固く結んで固定したひもをほどくのは困難である。古くから、固定と固定解除を容易にするような結び方（蝶結びなど）が考案されて使われているが、強固に固定することと、容易に固定解除ができることとは、両立していない。
【０００５】
それを解決する手段として、古来より、「バックル」や「ナスカン」といった器具をひもにとりつけることがなされてきた。バックルでは、ひも（この場合は平たいベルト上のひも）に穴をあけ、一端に金属性のバックルを接着することで、穴に金属部を通し、引っ張り力に対して穴と金属部が締めつけあうために強固に固定される。固定を解除する場合には、穴から金属部を抜けばよい。ナスカンに関しても、ひもの一端に金属製のナスカンを接着し、開口部のある金属のリングを利用してこれを固定するしくみである。
【０００６】
しかしながら、バックルやナスカンには次の問題点がある。
まず、強度の問題がある。特に、ナイロンザイルのように非常に強度の強いひもに対して、バックルやナスカンのような別素材を元の強度を失わずに接着することは困難である。
また、金属部品を用いることで腐食の危険性がある。
さらに、そのような部品自体の費用に加え、加工を行う費用が発生する。
【０００７】
また、バックルにおいては、ひも（この場合はベルト状のひも）に穴をあけてそこに金属部分を通すことにより固定されるため、そのための強度の低下、費用が生じる。
さらに、固定される部分は穴の加工がなされている部分のみであり、ひもを縛る場合のように任意の位置に固定することはできない。
ナスカンの場合には、ナスカンが取り付けられている部分に、輪状の物体を固定することしかできない。
【先行技術文献】
【特許文献】
【０００８】
【特許文献１】特開2011-142956号公報
【特許文献２】特開2010-270413号公報
【発明の概要】
【発明が解決しようとする課題】
【０００９】
解決しようとする課題は、ひもを固定したり外したりする際に、しばる・ほどくことでは技術が必要でかつ強度が弱く、ひもに別素材の部品を接着する場合にはその部品の部分
にしか固定できず、かつコストがかかり強度が低下することである。
【課題を解決するための手段】
【００１０】
本発明は、これらの課題を解決する新たな構造のひもに関するものである。
以後、この新たな構造のひもを「穴あきロープ」と呼ぶ。
図１は穴あきロープの一つの例を示している。
穴あきロープは、安定的に形成された穴を複数の位置に持つ。
これらの穴は、力を加えれば変形するが力を加えなければ元の形状をある程度復元する剛性を持つ。
【００１１】
典型的には、穴あきロープ全体に、一定の間隔で穴が形成されている。
穴あきロープは変形可能な素材（典型的にはナイロンザイル）で構成されているため、穴も、穴あきロープも変形可能であり、穴あきロープをその穴に通すことができる。こうして、穴あきロープの一端を、穴あきロープの任意の穴に固定したい場合、固定したい穴と隣接する複数の穴に一端を通すことにより固定することができる。図４は、固定した状態の一例を示している。
【００１２】
このようにして固定された一端は、強固に固定される。なぜなら、穴あきロープの張力に対して、穴は張力方向に伸び、張力に垂直な方向には縮むため、その穴を通っている穴あきロープを締め付ける方向に力がはたらくからである。
交互に４個以上の穴に穴あきロープを通した場合、引っ張る力でそれがほどけてしまうことは実験上観察されない。
【００１３】
このようにして固定された一端は、穴を通した順番と逆に、一つずつ通っている穴をはずしていけば、容易に固定を解除することができる。
【発明の効果】
【００１４】
本発明の穴あきロープは、穴を複数有しており、変形可能な素材でできているために、
そのひも自身をその複数の穴に通すことができることによって、そのひもの一端を、それらの穴に固定することができる。図４、図６、図７は固定する方法の一例をそれぞれ挙げている。
また、そのひもの途中部分をそれらの穴に固定することもできる。別のひもをそれらの穴に固定することもできる。これにより、以下のような新奇な効果が得られる。
【００１５】
A. 強度の向上：本発明の穴あきロープは、強度が高い。すなわち、バックルやナスカンと異なり、
取り付けではなく一体の素材により構成されているために高い強度を有する。
従来技術のようにナイロンザイルとバックルやナスカンなど異なる素材を混在させた場合、
部品の強度および接着部分の強度が低いために、全体の強度が劣化するが、本発明はこれを避けることができる。
【００１６】
接着または溶着または縫い合わせるといった固着によって本発明の穴あきロープを実施した場合、固着部分の強度が直接穴あきロープ全体の強度を低下させないことが本発明の特徴である。
【００１７】
請求項６に記載のように、２本のひもを交差させて固着した場合には、穴あきロープの
張力方向への力が穴に加えられても、固着部分をはがす方向ではなく固着部分をねじる方向にしか働かず、ねじる角度は限られているために強度を低下させない。
【００１８】
B. 衝撃吸収：さらに、請求項５に記載のように、穴あきロープは材料となったひもよりも伸縮性を増しているために、衝撃を吸収する力を増している。
【００１９】
C. 加工の容易さ、安価性：穴あきロープを作成するには、同一の素材からなるひもを接着・溶着・縫い合わせるなどの方法で固着するといった単純な工程により制作できるため、部品を必要とするバックル・ナスカンより安価に制作できる。
【００２０】
D. 固定部分の任意性：いたるところに穴を有する穴あきロープの場合には、穴あきロープの一部をその任意の位置に固定することができ、また外すことができる。
これは、従来技術のバックルやナスカンにはない本発明の特徴である。
【００２１】
E. 固定した環形構造：上記Dにより、穴あきロープの任意の位置に、任意の長さの環形の構造を作り固定することができる。図４、図６、図７は環形の構造を作り固定する方法の一例をそれぞれ挙げている。
これにより、たとえば犬の首輪に用いるときに、犬のの首を入れる環形の構造を、犬の首の太さに応じて形成し止めることができる。張力に対する強度から、力の強い犬であっても引っ張ることによっては外すことができない。
【００２２】
また、上記環形構造は固定しているため、ずれて犬の首が締まるおそれもない。
【００２３】
F.複数の環形構造の作成：いたるところに穴があいている穴あきロープの場合、複数の環形の構造を作り
固定することができる。一本の穴あきロープを用いて、犬のくつわと首輪を同時に形成し使用することができる。さらに加えて、胴体や脚部分に対しても同様に環形構造を作り胴輪としての使用が可能である。
さらに、他方の端に環形の構造を作り、人間の持ち手とすることもできる。
【００２４】
G. ナスカンの機能代替：穴あきロープの一部を他の輪状の部品に通してから、穴あきロープの一部に固定することにより、他の輪状の物体を穴あきロープの穴のあいているいたるところに固定し、また外すことができる。これにより、ナスカンと同等の機能をいたるところで作成することができる。図６はその方法の一例を示している。
【００２５】
H. 固定の解除の容易性：上記の方法による固定部分を外す場合には、通した穴を一つずつ外す方向に逆の順番に通すことで容易に外すことができる。
【００２６】
I. 犬の首輪：穴あきロープは伸縮性があるため、衝撃吸収力がある。
たとえば力の強い大型犬の首輪として使用した場合に、犬が急に走り出したとしても衝撃吸収力のために犬の首・人間の持ち手の双方に負担がかからない。
【００２７】
J. すべりにくさとつかみやすさ：図１または図５に記載のように作成すると、すべりにくい。
これにより、山岳登山や津波時における救命用具として穴あきロープを使用した場合、つかまった時に滑りにくく、また、穴に指をいれることによりより強固につかまることができる。
【００２８】
通常のひもを手や指に縛って引っ張った場合には手や指が締め付けられてけがをするが、穴あきロープの穴に手や指を入れて引っ張っても、変形により指が締め付けられる力は弱く、けがをしにくい。
【００２９】
K. しばる・ほどく操作の代替：本発明の穴あきロープは、通常のひもにおける「しばる」という操作に対応した固定が可能である（実施例１および実施例３および実施例４）。
通常のひものしばりと異なる点は、通常のひものしばった部分は引っ張りによりずれて、締め付けがきつくなったりほどけたりするが、本発明では穴を複数回通すだけで容易に強固に固定され、固定位置はずれない。
したがって、犬の首輪や、人間の持ち手部分に用いる環形構造の製作に適している。
また、ひもをしばった場合には、結びが固くなった場合ほどくのは容易ではないが、本発明の穴あきロープにおいては、結びが固くなることはなく容易にほどくことができる。
【００３０】
通常のひもにおける、「締めつけて縛る」という固定操作も実施例３の方法で可能である。この場合も、本発明では容易にほどくことができる。
上記のように、通常のひもにおける「しばる」「ほどく」「しめつける」「環状部分を作る」という操作のいずれをも、本発明の穴あきロープは容易にかつ強固に実現することが
できるため、広い用途を有する。
【００３１】
穴あきロープの穴の位置は、一定間隔にロープ全体に設置する必要はなく、穴あきロープを固定したい部分にのみ設置してもよい。００１１段において「典型的には穴あきロープ全体に一定間隔で穴が形成されている」と記述したのは、説明を単純にするためである。また、二本のひもを固着する代わりに、図５に示されているように一本のひもを折って固着することによっても穴あきロープを作成できる。三本以上のひもを固着することによっても作成できる。
【図面の簡単な説明】
【００３２】
【図１】図１は穴あきロープの構造を示した説明図である。（実施例１）
【図２】図２は穴あきロープの穴の一つにそれ自身の一端を通した説明図である。（実施例１）
【図３】図３は穴あきロープの穴の４か所に一端を通した説明図である。（実施例１）
【図４】図４は穴あきロープの穴の４か所に一端を通して引っ張って締め、バックルの代替とした説明図である。（実施例１）
【図５】図５は一本のナイロンザイルから溶着によって作成された穴あきロープの説明図である。（実施例２）
【図６】図６は穴あきロープの一端を棒に固定する方法の説明図である。（実施例３）
【図７】図７は穴あきロープを環形状態に固定する方法の図である。（実施例４）
【図８】図８はベルト状のひもから固着により構成された穴あきロープの、一端を穴に通した図である。（実施例５）
【発明を実施するための形態】
【００３３】
穴あきロープの使用例を挙げる。
図１は穴あきロープの一つの例である。作成の方法は、
1.実施例５で挙げたように二枚のベルト状のひもを一定の間隔を空けて固着させる
（縫い合わせる、接着する、溶着するなどの方法で）、
2.実施例２で挙げるナイロンザイルの溶着による、
といった方法があげられる。
【実施例１】
【００３４】
図２は、図１で挙げた穴あきロープの一端を、一つの穴に通した状態図である。
図３は、穴あきロープの一端を、連続する４つの穴に交互に通した状態図である。
図４は、図３の状態の穴あきロープの環形部分をひっぱることにより、バックルのように
一端が穴あきロープの一部に固定された状態図である。環形部分を引っ張る力に対して、４か所の穴を通された穴あきロープは互いに締め付けあうので強固に固定される。
また、通常のひもを縛った場合とは異なり、固定を解除したい場合には穴を一つずつ抜いていくことにより容易に解除できる。
このようにして、穴あきロープに安定な環形構造を作ることができる。
【実施例２】
【００３５】
図５は、二本のナイロンザイルから溶着によって作成された穴あきロープである。
ナイロンザイルが交差している部分を溶着することにより、安価で容易に穴あきロープを
作成することができる。
溶着された部分の間は、二本のナイロンザイルが囲む穴となる。
この構成法により、請求項1にある穴あきロープを構成できる。
【００３６】
ナイロンザイルの変形可能性と剛性により、図２のように穴に穴あきロープを通すことが
できるし、抜くこともできる。そして、図３のように穴あきロープの一端をとなりあう穴に交互に通すことにより、引っ張り力だけでは穴あきロープをはずすことができず、
通常のロープを縛った場合や、バックルを使った場合と同様に、穴あきロープの穴に
穴あきロープの一端を強固に固定することができる。
【００３７】
この構成では、金属などほかの素材を接着する必要性がなく、また、引っ張り力に対しては溶着面をはがす方向に力が働かないために、従来の金属製のバックルなどを使った場合よりも高い強度で固定することができる。  
【実施例３】
【００３８】
図６は、穴あきロープの一端を棒に固定する方法を示している。棒７に、穴あきロープの
一端を固定するため、穴あきロープを棒に一まきしてから、穴あきロープの先端１を穴あきロープの穴２、穴３、穴４、穴５、の順に交互に通していき、続いて穴４と重なっている穴６と穴４に先端１を通す。この状態で穴あきロープを引っ張ることにより、実施例１のバックルと同じ原理で穴あきロープが締め付けられる。さらに先端1を穴６、穴４に通した状態で引っ張ることにより、実施例１よりもさらに強固に固定される。解除は、上記の手順を逆にたどることにより容易に行える。
【００３９】
このようにして、穴あきロープに安定な環形構造を作ることができる。また、解除することもできる。
また、棒７を締め付けたい場合には、先端部１を穴４、穴６から抜いて、
穴２を通っている穴あきロープ部分をずらして棒７を締め付け、穴３、穴４、穴５の順番に余分な長さのロープをずらしていけばよい。
【実施例４】
【００４０】
図７は、穴あきロープの一端を、環形構造を作りたい部分のとなりあう二か所の穴を通し、のちに端に近い側の穴二か所の穴を通すことにより、強固な環形構造をつくる方法を示している。このように固定した場合は、実施例３と異なり、ずらして締めつけることはできない。
しかし、穴の構造が破壊されない限り環形部分の長さが変わることはないため、犬の首輪や人間の胴にかける安全ベルトなど、環形部分の長さを一定に保つことが必要である場合に適している。
【実施例５】
【００４１】
図８は、ベルト状のひも二本を一定の間隔で固着させることにより構成された穴あきロープの、一端を穴に通した状態を示している。ベルト状であるために固着の方法として縫い合わせることがチューブ状のひもよりも容易である。
【００４２】
さらに、大きな石をクレーンで吊り上げるときのひもとして用いた場合にベルトが石の角に引っかかるため石に対してすべりにくいという利点を持つ。
【産業上の利用可能性】
【００４３】
犬の引き紐や犬の首輪・胴輪に使用した場合、上記のように安定した環形構造を作成できるため、一本の穴あきロープで、一端を犬の首にまいて首の太さに合わせてバックルのようにとめることも、他方の端を持ち手部として環形にとめることもできる。また、胴体部分を止めることも、くつわを兼ねることもできる。
【００４４】
バックルやナスカンのような部品がないために安価、かつ壊れにくく、けがも少ない。
強度が高いため、穴あきロープの切断の危険が少ない。衝撃吸収力があるため、犬が走り出したときにも切れにくく、かつ犬も人間もけがをしにくい。すべりにくさがあるためにつかみやすく、また通常のひもを手で持ったときにおきる摩擦によるやけどや、滑ることによって手を切るといったことが少なく、安全性が高い。
【００４５】
登山用のザイルや安全ベルト、遭難救助用のロープとして用いる際にも、一端を容易に
他の物体にまいて固定できること、つかみやすいこと、衝撃吸収力があること、すべりにくく手を切る危険性が低いこと、強度が高いこと、環形構造が縮まって起きる人体の締め付けの危険性が低いこと、金属部品を排除できるために腐食の心配がなく耐久性が高く海沿いなどに長年保存しても劣化しにくいこと、安価であること、軽くて持ち運びやすいこと、といった効果がある。
【００４６】
車の牽引に用いるロープやベルトとして用いる際にも、任意の長さで固定できること、強度の高さ、衝撃吸収性、金属部品の排除による耐久性、安価性といった効果がある。クレーン作業で使用するナイロン製のベルトや鋼鉄製のワイヤーをこの構造によって作成すると、同様の効果がある。
【００４７】
一つ一つのひものカラーを変えたり交差の順序を変えるなどにより、デザイン性の高いひもとして用いることができる。固定と解除の容易さと合わせて、携帯電話用ストラップやズボンのベルト、バックのベルト、ワイヤーを用いて作られたアクセサリーのワイヤーを代替するものとして使用できる。
【手続補正３】
【補正対象書類名】図面
【補正対象項目名】図９
【補正方法】削除
【補正の内容】
【手続補正４】
【補正対象書類名】図面
【補正対象項目名】図１０
【補正方法】削除
【補正の内容】